【手続補正書】
【提出日】平成17年6月28日(2005.6.28)
【手続補正１】
【補正対象書類名】明細書
【補正対象項目名】特許請求の範囲
【補正方法】変更
【補正の内容】
【特許請求の範囲】
【請求項１】  外面と、内面と、自由端部とを持つ端部部分と、この端部部分により画定される開口を持つ容器に取付けるのに適するふたにおいて、
頂部部分と、
この頂部部分から垂下するすそ部分と、
前記頂部部分の下側から下方に突出する環状の密封リブと、
を備え、
前記密封リブに、
前記すそ部分の半径方向内方に位置する内面を持ち、前項頂部部分に隣接する第１の部分と、
この第１の部分に隣接し、この第１の部分の前記内面により前記頂部部分から隔離され、半径方向内方に延びて円形縁部に終り、上面及び下面を持つ円すい台形の第２の部分と、
前記円形縁部において又はこの円形縁部に隣接して前記第２の部分に連結され、内面及び外面を持ち、前記ふたを前記端部部分に取付ける前に、前記頂部分から大体において遠ざかる向きに延びる第３の部分と、
を設け、
前記外面を、前記第２の部分の前記下面に対してある角度をなして配置し、
前記第３の部分は、前記第２の部分より実質的に厚くしないで、厚さより長い長さを持ち、
前記容器の前記端部部分に対する前記ふたの取付け中に、前記密封リブの前記円すい台形の第２の部分が、前記容器の端部部分に係合して、前記第２の部分の上面が、前記密封リブの第１の部分の内面の方に向って少なくともこの内面に隣接して後方に折り曲げられるように、前記第１の部分が、前記容器の端部部分の外径に関連する内径を備え、
さらに、前記第３の部分が、ふた取付けの際に前記容器の端部部分と、前記ふたの頂部部分との間に位置させられ、前記端部部分の外面上の第１の位置から前記端部部分の前記自由端部の少なくとも頂点まで前記端部部分の前記自由端部のまわりを包むように、前記第３の部分の長さを定めたことを特徴とするふた。
【請求項２】  前記第３の部分を前記第２の部分の自由縁部に隣接させた請求項１に記載のふた。
【請求項３】  前記第３の部分を前記第２の部分に隣接させるが、この第２の部分の自由縁部から半径方向外方にわずかに間隔を置いた請求項１に記載のふた。
【請求項４】  前記第３の部分が前記第２の部分に角度的分離部を置いて接合するようにした請求項１ないし３のいずれか１つに記載のふた。
【請求項５】  前記第３の部分が前記第２の部分にこの第２の部分の大体において半径方向内向き方向から大体において軸線方向への平滑な角度的転移部で接合するようにした請求項１ないし３のいずれか１つに記載のふた。
【請求項６】  前記すそ部分が、前記容器の端部部分の外面の対応するねじに係合するのに適するねじを持つ内面を備えた請求項１ないし５のいずれか１つに記載のふた。
【請求項７】  前記すそ部分が、前記容器の端部部分の外面の対応するみぞに係合するのに適するリブを持つ内面を備えた請求項１ないし６のいずれか１つに記載のふた。
【請求項８】  前記リブの第１の部分を、前記すそ部分の半径方向内方に前記第１の部分及びすそ部分の間に環状の空間を置いて形成した請求項１ないし７のいずれか１つに記載のふた。
【請求項９】  前記リブの第１の部分を、前記すそ部分に連続して係合させた請求項１ないし８のいずれか１つに記載のふた。
【請求項１０】  前記リブの第１の部分が、前記頂部部分に隣接して前記すそ部分の厚くした部分を備えた請求項９に記載のふた。
【請求項１１】  前記第１の部分が、容器の頚部に対するふた取付け中に前記第２の部分を向かって折曲げる係合部を形成する作用をするようにした請求項１ないし１０のいずれか１つに記載のふた。
【請求項１２】  前記容器の頚部に対するふた取付け中に、前記第２の部分を前記第１の部分に向かい後方に折り曲げることにより、前記第２の部分が前記第１の部分の内面に接触するようにした請求項１ないし１１のいずれか１つに記載のふた。
【請求項１３】  ふたがポリエチレンで形成された請求項１ないし１２のいずれか１つに記載のふた。
【請求項１４】  ふたが、一体品に形成された請求項１ないし１３のいずれか１つに記載のふた。
【請求項１５】  前記容器からのふたはずれ又は意図したふたはずしを指示するのに適する誤操作明示バンドを備えた請求項１ないし１４のいずれか１つに記載のふた。
【請求項１６】  前記誤操作明示バンドが、複数のもろい橋架部による連結によって前記すそ部分から延びるようにした請求項１５に記載のふた。
【請求項１７】  前記誤操作明示バンドを、大体において円筒形の本体部分と、前記容器の端部部分から外方に延びる保持フランジの下側に係合する内側自由縁部を持つ唇状部を形成するのに適し、前記本体部分の内方に延びる区分したリブとにより構成したふたにおいて、前記区分したリブの複合長さを前記誤操作明示バンドの内周の少なくとも５０％に等しくし、前記各区分したリブをすきまにより互いに隔離し、前記各区分したリブに、大体において前記ふたの頂部部分の方に向く上面と、大体において前記頂部部分から遠ざかる方に向く下側とを設け、前記誤操作明示バンドの内面に、この誤操作明示バンドの自由縁部の上方から延びるが前記唇状部の内側自由縁部を越えては延びない複数の半径方向内向きの突起を設けたことを特徴とする請求項１６に記載のふた。
【請求項１８】  前記誤操作明示バンドを大体において円筒形の本体部分と前記容器の端部部分から外方に延びる保持フランジの下側に係合する内側自由縁部を持つ唇状部を形成するのに適し、前記本体部分の内方に延びる区分したリブとにより構成し、前記各区分したリブに、大体において前記ふたの頂部部分の方に向く上面と、大体において前記頂部部分から遠ざかる方に向く下側とを設けたふたにおいて、前記各リブの上面に前記誤操作明示バンドの本体部分に隣接し前記頂部部分から内方下向きに遠ざかる向きに傾斜する第１の表面と、この第１の表面の内端から半径方向内方に延び、前記ふたのすそ部分に実質的に直交する傾斜角を持つ第２の表面とを設けたことを特徴とする請求項１６に記載のふた。
【請求項１９】  さらに前記各区分したリブに大体において前記ふたの頂部部分の方に向く上面と、大体において前記頂部部分から遠ざかる方に向く下側とを設けたふたにおいて、前記各リブの上面に前記誤操作明示バンドの本体部分に隣接し前記頂部部分から内方下向きに遠ざかる向きに傾斜する第１の表面と、この第１の表面の内端から半径方向内方に延び前記ふたのすそ部分に実質的に直交する傾斜角を持つ第２の表面とを設けたことを特徴とする請求項１７に記載のふた。
【請求項２０】  前記密封リブに、この密封リブの内側面のまわりにおいて、この密封リブの第１の部分と、第２の部分との間の接合部の付近に形成した実質的に環状の弱い領域を設けた請求項１ないし１９のいずれか１つに記載のふた。
【請求項２１】  前記ふたの頂部部分の下側に、前記密封リブの第１の部分に、その内方に隣接して位置させた区分した環状隆起部を設けた請求項１ないし２０のいずれか１つに記載のふた。
【請求項２２】  前記ふたの頂部部分の下側に、前記密封リブの第１の部分にその内方に隣接して位置させた連続した環状隆起部を設けた請求項１ないし２０のいずれか１つに記載のふた。
【請求項２３】  前記リブの第１の部分が、前記ふたの頂部部分から遠ざかる向きに延びるに伴い厚さを増すようにした請求項１ないし２２のいずれか１つに記載のふた。
【請求項２４】  前記第１の部分の厚さが、この第１の部分の長手に沿い前記頂部部分の下側から遠ざかる向きに一様な割合で増すようにした請求項２３に記載のふた。